【手続補正書】
【提出日】平成22年5月19日(2010.5.19)
【手続補正１】
【補正対象書類名】明細書
【補正対象項目名】特許請求の範囲
【補正方法】変更
【補正の内容】
【特許請求の範囲】
【請求項１】
複数の粉体保持リセプタクルと、そして該複数の粉体保持リセプタクルに接続された真空ソースと、を具備しており、該真空ソースが該粉体保持リセプタクル間で粉体を移送することを特徴とする３次元プリンター用粉体処理システム。
【請求項２】
該複数の粉体保持リセプタクル及び該真空ソースと流体的に連通する多数ポート弁を更に具備しており、該真空ソースが該弁を介して該粉体保持リセプタクル間で粉体を移送することを特徴とする請求項１記載の粉体処理システム。
【請求項３】
外部粉体ソースを更に具備しており、該外部粉体ソースが該真空ソースに接続されるよう適合されていることを特徴とする請求項１記載の粉体処理システム。
【請求項４】
該粉体保持リセプタクルが、ビルド室、ワーク空間容積部、ディスペンス用ホッパー、排粉室、そして少なくとも１つのキャビテイから成るグループから選択されることを特徴とする請求項１記載の粉体処理システム。
【請求項５】
該真空ソースと該複数の粉体保持リセプタクルとの間に配置された濾過システムを更に具備することを特徴とする請求項１記載の粉体処理システム。
【請求項６】
粉体ディスペンス用ホッパーと、粉体を受けるビルド室と、該ビルド室内で粉体層にバインダーを選択的に塗布する少なくとも１つのプリントヘッドと、そして該ディスペンス用ホッパー及び該ビルド室に接続された真空ソースと、を具備しており、該真空ソースが該ディスペンス用ホッパーと該ビルド室の間で粉体を移送することを特徴とする３次元プリンター。
【請求項７】
該ディスペンス用ホッパー、該ビルド室及び該真空ソースと流体的に連通する多数ポート弁を更に具備しており、該真空ソースが該弁を介して該ディスペンス用ホッパーと該ビルド室の間を粉体を移送することを特徴とする請求項６記載の３次元プリンター。
【請求項８】
該真空ソースと接続された少なくとも１つのオーバーフローキャビテイを更に具備しており、該真空ソースが該弁を介して該少なくとも１つのオーバーフローキャビテイから粉体を移送することを特徴とする請求項７記載の３次元プリンター。
【請求項９】
該３次元プリンターに接続されるよう適合された少なくとも１つの粉体ディスペンス用ホッパーを有する複数の粉体保持リセプタクルを提供する過程と、
該複数の粉体保持リセプタクルを真空ソースに接続する過程と、そして
該真空ソースで該粉体保持リセプタクル間を粉体を移送する過程と、を具備することを特徴とする多数ソースから３次元プリンターへ粉体を提供する方法。
【請求項１０】
更に、該真空ソースを該粉体保持リセプタクルに選択的に接続するために、該真空ソースと該複数の粉体保持リセプタクルの間に多数ポート弁を設ける過程を更に具備することを特徴とする請求項９記載の方法。
【請求項１１】
該複数の粉体保持リセプタクルの１つから、該粉体ディスペンス用ホッパーへ粉体を選択的に移送するために該弁を駆動する過程を更に具備することを特徴とする請求項１０記載の方法。
【請求項１２】
該真空ソースと該複数の粉体保持リセプタクルの間に濾過システムを設ける過程を更に具備することを特徴とする請求項９記載の方法。
【請求項１３】
中心点から固定距離に半径方向に配置されたポートを規定する第１部分と、そして
該中心点で該第１部分に結合された第２部分とを具備しており、該第２部分は該第１部分に対し回転可能で、複数のポートを規定しており、該複数のポートは、該第２部分がセット位置へ回転された時、各ポートが該第１部分内のポートと整合可能であり、それによりポート間の流れを可能にするよう該固定距離で該中心点の周りに半径方向に配置されていることを特徴とする３次元プリンターの粉体移送システムで使用する多数ポート弁。
【請求項１４】
該第２部分がモーター及びギヤ組立体により該第１部分に対し回転されることを特徴とする請求項１３記載の多数ポート弁。
【請求項１５】
該第２部分が信号に応答して該第１部分に対し自動的に回転されることを特徴とする請求項１３記載の多数ポート弁。
【請求項１６】
該第１部分に対する該第２部分の回転進行を限定するために少なくとも１つの停止部を更に具備することを特徴とする請求項１３記載の多数ポート弁。
【請求項１７】
該第１部分と該第２部分の間に配置されたシールを更に具備しており、該第１部分及び第２部分が両部分間に配置された該シールと接触するよう偏倚されることを特徴とする請求項１３記載の多数ポート弁。
【請求項１８】
粉体を受けるため粉体ディスペンス用ホッパーにより規定され３次元プリンター上のビルド面に対し配置されるよう構成されており予め決められた量の粉体を通すよう寸法取りされて配置された少なくとも１つの出口を規定している室と、
該室内に少なくとも部分的に配置され該少なくとも１つの出口を通るよう粉体を押すよう適合されたディスペンス用機構と、を具備することを特徴とする３次元プリンターに粉体を提供する粉体ディスペンス用ホッパー。
【請求項１９】
２方向の空気流用に適合され少なくとも２つの側部を有するフイルターと
該フイルターの１つの側部に設けられ該フイルターの複数部分を相互から分離するようセグメント化されており、該個別フイルター部分を真空及び正圧の少なくとも１つに曝すよう適合されているプレナムと、を具備することを特徴とする３次元プリンターの粉体移送システムで使うフイルターシステム。
【請求項２０】
ピッチをおいて隔てられた複数の開口部を規定する第１プレートと、離れ隔てられ該第１プレートの該複数の孔のピッチの約５０％だけ該第１プレートの該複数の孔からオフセットされて隔てられた複数の開口部を規定する第２プレートと
を備えている、該粉体を受けるビルド面を具備しており、
該第２プレートは該第１プレートの下に該第１プレートから隔てられて配置されてており、該ピッチは、隣接する開口部の最も近接したエッジ間の空間に対応しており、且つ２（該プレート間の空間）（該粉体の安息角の余接）＋（孔の直径）に略等しいことを特徴とする３次元プリンターで使用し３次元対象を作るために粉体を受けるように適合されたビルド室。
【請求項２１】
ピッチをおいて離れ隔てられた複数の開口部を規定する第１プレートと、
離れ隔てられ該第１プレートの該複数の孔のピッチの約５０％だけ該第１プレートの該複数の孔からオフセットされて隔てられた複数の開口部を規定する第２プレートとを備えている、該粉体を受けるビルド面を提供する過程を具備しており、
該第２プレートは該第１プレートの下に、該第１プレートから隔てられて配置されており、該ピッチは、隣接する開口部の最も近接したエッジ間の空間に対応しており、且つ２（該プレート間の空間）（該粉体の安息角の余接）＋（孔の直径）に略等しく、
該ビルド面の下に真空ソースを提供する過程を具備することを特徴とするビルド室内の解放された粉体の流れを制御する方法。
【請求項２２】
３次元の対象を作るための粉体を保持するよう適合された内部容積を規定するリセプタクルと、
該リセプタクルに結合され、該リセプタクルの内部容積を少なくとも部分的に囲み該内部容積と流体的に連通して該３次元プリンターの真空ソースに接続されるよう適合されている出口を規定しているカバーと、
該内部容積と流体的に連通し、空気を該内部容積内へ送るよう適合され該リセプタクル及び該カバーの少なくとも１つにより少なくとも部分的に規定される少なくとも１つの入り口とを具備していることを特徴とする３時次元プリンター用の粉体を保持するコンテナー。
【請求項２３】
プリントヘッド放出材料を受け付けるリセプタクルと、
該受け付けリセプタクルと連通し該プリントヘッド放出材料の少なくとも１部分を吸収するよう適合された吸収媒体を有する保持用リセプタクルと、
該プリントヘッド放出材料を該保持用リセプタクルへ導くドレーンと、を具備しており、該プリントヘッド放出材料の少なくとも１部分は、該保持用リセプタクル内で固体化することを特徴とする３次元プリンター用ウエースト処理システム。